(57)【要約】【課題】気体の濃度測定装置を用いることなく室内の空気の状態を検知することのできる検知システムを提供する。【解決手段】本発明の検知システムは、例えば、空気調和機１として実現される。空気調和機１は、生体反応を検知するセンサ（例えば、カメラ１６、マイク１７）と、換気ユニット１４と、制御部２０などを備えている。制御部２０は、センサが検知した情報を受信し、センサが検知した生体反応に基づいて、室内中の所定の気体の濃度に関する異常の予測、および、室内の換気制御の少なくとも何れかを実行する。例えば、センサは、生体の動き量を生体反応として検知する。そして、制御部２０は、所定時間内の生体の動き量が閾値以上の場合に換気ユニット１４を作動させる。【選択図】図１
2018017403.tif 000002
【特許請求の範囲】
【請求項１】
生体反応を検知するセンサと、
前記センサが検知した情報を受信する制御部とを備え、
前記制御部は、前記センサが検知した生体反応に基づいて、室内中の所定の気体の濃度に関する異常の予測、および、室内の換気制御の少なくとも何れかを実行する、室内空気の検知システム。
【請求項２】
換気ユニットをさらに備え、
前記生体反応は、生体の動き量であり、
前記制御部は、所定時間内の前記動き量が閾値以上の場合に前記換気ユニットを作動させる、
請求項１に記載の検知システム。
【請求項３】
前記換気ユニットは、複数種類の換気モードで動作可能であり、
前記制御部は、前記複数種類の換気モードの何れが選択されたかに応じて、検知する生体反応の種類を変更する、請求項２に記載の検知システム。
【請求項４】
前記センサは、複数種類の生体反応を検知し、
前記制御部は、選択された換気モードに応じて、前記複数種類の生体反応のうちの何れの生体反応をより優先して判断するかの優先度の変更を行う、請求項３に記載の検知システム。
【請求項５】
前記制御部は、
前記センサの検知結果に基づいて室内にいる人の数を認識し、
認識した人数の情報に基づいて、室内中の所定の気体の濃度が異常状態に到達するまでの時間を予測する、請求項１から４の何れか１項に記載の検知システム。
【請求項６】
前記制御部は、
室内の大きさの情報をさらに取得し、
前記人数の情報及び前記室内の大きさの情報に基づいて、室内中の所定の気体の濃度が異常状態に到達するまでの時間を予測する、請求項５に記載の検知システム。
【発明の詳細な説明】
【技術分野】
【０００１】
本発明は、室内の空気の状態を検知する検知システムに関する。
【背景技術】
【０００２】
従来の空調制御システムには、カメラや赤外線人感センサを用いて室内に存在する人の活動量を検知し、活動量に応じた空調制御を行うものがある。
【０００３】
例えば、特許文献１には、室内の二酸化炭素濃度に応じて冷暖房運転や換気運転の制御を行う空調制御システムが開示されている。この空調制御システムは、室内空気調和機と換気装置とを備えている。また、室内空気調和機は、表面温度検出部と、二酸化炭素濃度検出部とを備えている。
【０００４】
そして、上記の空調制御システムでは、表面温度検出部で検出された温度情報と二酸化炭素濃度検出部で検出された二酸化炭素濃度情報とに基づいて、室内空気調和機の冷房運転を制御して室内温度を調整するとともに、換気装置を制御する。また、上記の空調制御システムでは、室内空気調和機の冷房運転時に、室内の二酸化炭素濃度が所望の閾値以上となった場合には、冷房能力を強め、かつ、必要に応じて換気装置を制御して換気を行う。
【先行技術文献】
【特許文献】
【０００５】
【特許文献１】特開２０１４−１３７２１２号公報
【発明の概要】
【発明が解決しようとする課題】
【０００６】
以上のように、特許文献１に記載の空調制御システムでは、二酸化炭素濃度検出部で室内の二酸化炭素濃度を検出し、検出された濃度に応じて、室内空気調和機および換気装置の運転を制御している。
【０００７】
このような方法では、室内の空気に含まれる二酸化炭素濃度を測定するために、濃度センサを設ける必要がある。しかしながら、二酸化炭素などの室内の空気中に含まれる特定の気体の濃度を測定するための装置は、精密な構造を有しているため、誤動作や故障などが起きやすい。また、このような気体の濃度測定装置は高価であるため、それを備える空調制御システムの製造コストも上昇してしまう。
【０００８】
そこで、本発明では、気体の濃度測定装置を用いることなく室内の空気の状態を検知することのできる検知システムを提供する。
【課題を解決するための手段】
【０００９】
本発明の一局面にかかる検知システムは、室内空気の状態を検知するものである。この検知システムは、生体反応を検知するセンサと、前記センサが検知した情報を受信する制御部とを備えている。そして、前記制御部は、前記センサが検知した生体反応に基づいて、室内中の所定の気体の濃度に関する異常の予測、および、室内の換気制御の少なくとも何れかを実行する。
【００１０】
上記の本発明の検知システムは、換気ユニットをさらに備えていてもよい。また、上記の本発明の検知システムにおいて、前記生体反応は、生体の動き量であり、前記制御部は、所定時間内の前記動き量が閾値以上の場合に前記換気ユニットを作動させてもよい。
【００１１】
上記の本発明の検知システムにおいて、前記換気ユニットは、複数種類の換気モードで動作可能であり、前記制御部は、前記複数種類の換気モードの何れが選択されたかに応じて、検知する生体反応の種類を変更してもよい。
【００１２】
上記の本発明の検知システムにおいて、前記センサは、複数種類の生体反応を検知し、前記制御部は、選択された換気モードに応じて、前記複数種類の生体反応のうちの何れの生体反応をより優先して判断するかの優先度の変更を行ってもよい。
【００１３】
上記の本発明の検知システムにおいて、前記制御部は、前記センサの検知結果に基づいて室内にいる人の数を認識し、認識した人数の情報に基づいて、室内中の所定の気体の濃度が異常状態に到達するまでの時間を予測してもよい。
【００１４】
上記の本発明の検知システムにおいて、前記制御部は、室内の大きさの情報をさらに取得し、前記人数の情報及び前記室内の大きさの情報に基づいて、室内中の所定の気体の濃度が異常状態に到達するまでの時間を予測してもよい。
【発明の効果】
【００１５】
以上のように、本発明にかかる検知システムによれば、気体の濃度測定装置を用いることなく室内の空気の状態を検知することができる。
【図面の簡単な説明】
【００１６】
【図１】本発明の第１の実施形態にかかる空気調和機の内部構成を示すブロック図である。
【図２】図１に示す空気調和機の全体構成を示す模式図である。
【図３】図１に示す空気調和機における換気制御の大まかな流れを示すフローチャートである。
【図４】図１に示す空気調和機のメモリに格納されているテーブルの一例を示す図である。
【図５】図１に示す空気調和機における換気制御の流れを示すフローチャートである。
【図６】第１の実施形態にかかる空気調和機における換気制御の変形例に用いられるテーブルの一例を示す図である。
【図７】本発明の第２の実施形態にかかる空気調和機における換気制御に用いられるテーブルの一例を示す図である。
【図８】図７に示す空気調和機における換気制御の流れを示すフローチャートである。
【図９】本発明の第３の実施形態にかかる空気調和機の内部構成を示すブロック図である。
【図１０】本発明の第４の実施形態にかかる換気制御システムの構成を示す模式図である。
【図１１】図１０に示す換気制御システムを構成する空気調和機の内部構成を示すブロック図である。
【図１２】図１０に示す換気制御システムを構成するサーバの内部構成を示すブロック図である。
【図１３】図１０に示す換気制御システムを構成するスマートフォンの内部構成を示すブロック図である。
【図１４】本発明の第５の実施形態にかかる検知システムの構成を示す模式図である。
【図１５】図１４に示す検知システムを構成するウエアラブル端末の構成を示すブロック図である。
【発明を実施するための形態】
【００１７】
以下、図面を参照しつつ、本発明の各実施形態について説明する。以下の説明では、同一の部品には同一の符号を付してある。それらの名称および機能も同じである。したがって、それらについての詳細な説明は繰り返さない。
【００１８】
〔第１の実施形態〕
第１の実施形態では、本発明の検知システムを空気調和機に適用する例に挙げて説明する。図１は、本実施の形態にかかる空気調和機１の内部構成を示す。図２は、本実施形態にかかる空気調和機１の全体構成を示す。本実施形態にかかる空気調和機１は、ヒートポンプを用いて冷房運転および暖房運転を行う。なお、第１の実施形態にかかる空気調和機１は、冷房運転と暖房運転の両方を行うことが可能であるが、冷房運転および暖房運転の何れか一方のみを行う空気調和機（冷房機または暖房機）にも本発明を適用することができる。
【００１９】
本実施形態にかかる空気調和機１は、換気ユニット１４および生体の動き量を検知するセンサ（具体的には、カメラ１６およびマイク１７）を備えている。そして、センサが検知した所定時間（例えば、１５分以上１時間以内の範囲内の時間）内の動き量が閾値以上である場合に、換気ユニット１４を作動させる。すなわち、空気調和機１内の制御部２０は、生体の動き量を指標として、空気調和機１が設置されている室内の換気が必要であるか否かを判断し、必要に応じて換気ユニット１４を作動させることができる。
【００２０】
＜空気調和機の全体構成＞
先ず、本実施の形態にかかる空気調和機１の全体構成と基本的な動作の概要について、図２を用いて説明する。図２では、空気調和機１の冷房運転時の冷媒（熱媒体）の流れを実線の矢印で示し、空気調和機１の暖房運転時の冷媒（熱媒体）の流れを破線の矢印で示している。
【００２１】
図２に示すように、本実施の形態にかかる空気調和機１は、セパレート式の空気調和機であって、主に、室内機１０と室外機５０とから構成されている。なお、空気調和機１は、室内機１０と室外機５０とが冷媒配管５７および５８を介して接続されることによって構成されている。以下、室外機５０、室内機１０、冷媒配管５７および５８について詳述する。
【００２２】
（１）室外機
室外機５０は、主に、筐体５１、圧縮機５２、四方弁５３、室外熱交換器５４、膨張弁５５、室外送風機５６、冷媒配管５７、冷媒配管５８、二方弁５９、および三方弁６０から構成されている。なお、この室外機５０は、屋外に設置されている。
【００２３】
筐体５１には、圧縮機５２、四方弁５３、室外熱交換器５４、膨張弁５５、室外送風機５６、冷媒配管５７、冷媒配管５８、二方弁５９、および三方弁６０等が収納されている。
【００２４】
圧縮機５２は、吐出管５２ａおよび吸入管５２ｂを有している。吐出管５２ａおよび吸入管５２ｂは、それぞれ、四方弁５３の異なる接続口に接続されている。圧縮機５２は、運転時、吸入管５２ｂから低圧の冷媒ガスを吸入し、その冷媒ガスを圧縮して高圧の冷媒ガスを生成した後、その高圧の冷媒ガスを吐出管５２ａから吐出する。
【００２５】
四方弁５３は、冷媒配管を介して圧縮機５２の吐出管５２ａおよび吸入管５２ｂ、室外熱交換器５４ならびに室内熱交換器１２に接続されている。四方弁５３は、運転時、空気調和機１の制御部２０（図１参照）から送信される制御信号に従って、冷凍サイクルの経路を切り換える。すなわち、四方弁５３は、冷房運転状態と暖房運転状態との間で経路の切り換えを行う。
【００２６】
具体的には、冷房運転状態では、四方弁５３は、圧縮機５２の吐出管５２ａを室外熱交換器５４に連結させると共に圧縮機５２の吸入管５２ｂを室内熱交換器１２に連結させる（図２の実線矢印参照）。一方、暖房運転状態では、四方弁５３は、圧縮機５２の吐出管５２ａを室内熱交換器１２に連結させると共に圧縮機５２の吸入管５２ｂを室外熱交換器５４に連結させる（図２の破線矢印参照）。
【００２７】
室外熱交換器５４は、左右両端で複数回折り返された伝熱管（図示せず）に多数の放熱フィン（図示せず）が取り付けられたものであって、冷房運転時には凝縮器として機能し、暖房運転時には蒸発器として機能する。
【００２８】
膨張弁５５は、一方が冷媒配管５７を介して二方弁５９に接続されると共に、他方が室外熱交換器５４に接続されている膨張弁５５は、運転時において、凝縮器（暖房時は室内熱交換器１２であり、冷房時は室外熱交換器５４である）から流出する高温高圧の液冷媒を蒸発しやすい状態に減圧すると共に、蒸発器（暖房時は室外熱交換器５４であり、冷房時は室内熱交換器１２である）への冷媒供給量を調節する役目を担っている。
【００２９】
室外送風機５６は、主に、プロペラファンおよびモータから構成されている。プロペラファンは、モータによって回転駆動され、屋外の外気を室外熱交換器５４に供給する。モータは、空気調和機１の制御部２０から送信される制御信号に従って動作する。
【００３０】
二方弁５９は、冷媒配管５７に配設されている。なお、二方弁５９は、室外機５０から冷媒配管５７が取り外されるときに閉じられ、冷媒が室外機５０から外部に漏れることを防ぐ。
【００３１】
三方弁６０は、冷媒配管５８に配設されている。なお、三方弁６０は、室外機５０から冷媒配管５８が取り外されるときに閉じられ、冷媒が室外機５０から外部に漏れることを防ぐ。また、室外機５０から、あるいは室内機１０を含めた冷凍サイクル（冷却機構）全体から、冷媒を回収する必要があるときは、三方弁６０を通じて冷媒の回収が行われる。
【００３２】
（２）室内機
室内機１０は、主な構成部材として、筐体１１、室内熱交換器１２、室内送風機１３、換気ユニット１４、室内温度計１５、カメラ（センサ）１６、およびマイク（センサ）１７などを備えている。
【００３３】
筐体１１には、室内熱交換器１２、室内送風機１３、室内温度計１５、および制御部２０等が収納されている。
【００３４】
室内熱交換器１２は、図２に示すように、３個の熱交換器を、室内送風機１３を覆う屋根のように組み合わせたものである。なお、各熱交換器は、左右両端で複数回折り返された伝熱管（図示せず）に多数の放熱フィン（図示せず）が取り付けられたものであって、暖房運転時には凝縮器として機能し、冷房運転時には蒸発器として機能する。
【００３５】
室内送風機１３は、主に、クロスフローファンおよびモータから構成されている。クロスフローファンは、モータによって回転駆動され、室内の空気を筐体１１に吸い込んで室内熱交換器１２に供給すると共に、室内熱交換器１２で熱交換された空気を室内に送出する。
【００３６】
換気ユニット１４は、室外との通気口を有するとともに、内部にファンを有している。換気ユニット１４は、必要に応じて起動され、室内の空気の入れ換えを行う。換気ユニット１４が起動されると、ファンが運転を開始し、室外から空気を取り込むとともに、室内の空気を排気する。
【００３７】
本実施形態では、生体反応を検知するセンサ（例えば、カメラ１６、マイク１７など）の検知結果に基づき、制御部２０が、室内の換気が必要か否かの判断をしている。そして、制御部２０によって換気が必要と判断されたときに、換気ユニット１４は運転を開始する。具体的には、換気ユニット１４は、センサが検知した所定時間内の生体の動き量が閾値以上である場合に、運転を開始する。また、換気ユニット１４は、センサが検知した所定時間内の生体の動き量が閾値未満となった場合に、運転を停止する。なお、生体の動き量は、例えば、後述する方法によって、数値化される。
【００３８】
室内温度計１５は、室内機１０が設置されている室内の温度を測定する。室内温度計１５は、例えば、筐体１１の室内空気吸込み口付近に配置されている。
【００３９】
カメラ１６は、室内の様子を撮影する。特に、本実施形態では、カメラ１６は、室内に存在する人、動物などを撮影し、生体の動き量を検知する。ここで、「生体の動き」には、例えば、生体（人、動物など）そのものの移動、肩の動き、呼吸、脈、ため息、寝返りなどが含まれる。カメラ１６としては、例えば、可視カメラ、ＣＣＤイメージセンサを内蔵したカメラ、赤外線カメラなどを使用することができる。
【００４０】
マイク１７は、室内で発生する音を検知する。例えば、マイク１７は、人や動物の呼吸の状態、人が発するため息、くしゃみ、あくびなどの生体反応を検知することができる。本実施形態では、カメラ１６およびマイク１７が、生体反応を検知するセンサとして機能する。
【００４１】
なお、室外機５０の圧縮機５２、四方弁５３、室外熱交換器５４および膨張弁５５、ならびに室内機１０の室内熱交換器１２は、冷媒配管５７，５８によって順次接続され、冷凍サイクルを構成している。
【００４２】
（３）冷媒配管
冷媒配管５７は、冷媒配管５８よりも細い管であって、運転時に液冷媒が流れる。冷媒配管５８は、冷媒配管５７よりも太い管であって、運転時にガス冷媒が流れる。なお、熱媒体（冷媒）としては、例えば、ＨＦＣ系のＲ４１０ＡやＲ３２等が用いられる。
【００４３】
＜換気ユニットの運転制御について＞
続いて、本実施形態にかかる空気調和機１において、カメラ１６などのセンサが検知した生体反応に基づいて、換気ユニット１４の運転を制御する方法について、図１、図３、及び図４を参照しながら説明する。図１には、空気調和機１の内部構成を示す。図１では、主に換気ユニット１４の運転制御に関連する構成部材を示している。
【００４４】
図１に示すように、室内機１０内には、室内送風機１３、換気ユニット１４、室内温度計１５、カメラ１６、マイク１７、スピーカ１８、表示部２１、受信部２２、および制御部２０などが備えられている。また、空気調和機１には、室内機１０とは別の構成部材として、リモートコントローラ（操作部）３１が備えられている。
【００４５】
スピーカ１８は、カメラ１６、マイク１７などが検知した生体の動き量に基づいて、室内中の酸素などの気体の濃度が低下していると予測された場合などに、その旨の音声を発する。また、スピーカ１８は、カメラ１６、マイク１７などが検知した生体の動き量に基づいて室内の換気が必要であると判断された場合に、換気ユニット１４を運転させる旨の通知を行うように構成されていてもよい。また、スピーカ１８は、空気調和機１の運転の開始時、空気調和機１の運転の終了時、運転モードの変更時などに、室内の人にその旨を報知する音声を発するようにしてもよい。
【００４６】
表示部２１は、液晶表示パネルおよびＬＥＤライトなどを含む。表示部２１は制御部２０からの信号に基づいて空気調和機１の動作状況や警報等を表示する。受信部２２はリモートコントローラ３１を操作した際に送信される赤外線の信号を受信する。リモートコントローラ３１は、ユーザが空気調和機１を操作するための操作部として機能する。ユーザは、例えば、リモートコントローラ３１を操作して、空気調和機１の運転モード、設定温度などを選択することができる。
【００４７】
制御部２０は、空気調和機１内の各構成部品と接続され、これらの制御を行う。制御部２０内には、メモリ２３、およびタイマ２４などが備えられている。また、本実施形態においては、制御部２０は、カメラ１６、マイク１７などが検知した生体の動き量に基づいて、室内の換気が必要であるか否かの判断を行う。そして、制御部２０は、室内の換気が必要であると判断した場合には、換気ユニット１４の運転を開始させる。
【００４８】
なお、本実施形態では、換気ユニット１４は、複数の異なる運転モード（換気モードともいう）での運転が可能である。すなわち、制御部２０は、設定された運転モードに応じて、異なる方法で換気ユニット１４の運転制御を行うことができる。
【００４９】
さらに、制御部２０は、カメラ１６、マイク１７などのセンサが検知した生体の動き量に基づいて、室内中の酸素濃度（所定の気体濃度）に関する異常を予測するようにしてもよい。そして、制御部２０は、例えば、室内中の酸素濃度が許容上限を超えたり、許容下限を下回ったりしていると予測した場合には、その旨の信号を表示部２１、並びに、受信部２２を経由して操作部３１などへ送信する。またあるいは、この信号は、スピーカ１８に送信することもできる。表示部２１または操作部３１の表示部は、この信号を受信すると、室内の酸素濃度が異常状態であるという警告表示を行う。また、スピーカ１８は、この信号を受信すると、室内の酸素濃度が異常状態である旨の音声を室内へ発する。
【００５０】
なお、本実施形態では、室内中の酸素濃度に関する異常を予測しているが、本発明では、二酸化炭素濃度などの空気中の他の気体の濃度に関する異常を予測してもよい。気体の種類としては、酸素、二酸化炭素、窒素、水蒸気などが挙げられる。
【００５１】
メモリ２３は、ＲＯＭ（read only memory）及びＲＡＭ（Random Access Memory）を含む。メモリ２３は、空気調和機１の動作プログラムや設定データを記憶するとともに制御部２０による演算結果を一時記憶する。
【００５２】
また、本実施形態では、メモリ２３には、各種運転モードにおける換気ユニット１４の制御方法、設定温度などの情報が格納されている。換気ユニット１４の制御方法に関する情報とは、例えば、センサが検知した異なる種類の生体反応（肩の動き、呼吸、ため息など）のうちのどの生体反応に基づいて換気ユニット１４の運転制御を行うかという情報である。
【００５３】
具体的には、メモリ２３には、テーブルＡ（図４参照）が格納されている。テーブルＡでは、各種運転モード（換気モード）と、検知する生体反応とが対応付けられている。これにより、制御部２０は、選択された運転モードに対応付けられた生体反応の検知結果に基づいて、換気ユニット１４の運転制御を行うことができる。
【００５４】
タイマ２４は、必要に応じて、制御部２０内で行われる処理の時間、空気調和機１内の各構成部材の動作時間などを計測する。
【００５５】
また、室外機５０内には、圧縮機５２、室外送風機５６、および外気温度計６２などが備えられている。
【００５６】
続いて、空気調和機１において、センサが検知した生体反応に基づいて、換気ユニット１４の運転を制御する処理の大まかな流れを、図３および図４を参照しながら説明する。図３は、換気ユニット１４の制御の大まかな流れを示すフローチャートである。図４は、メモリ２３に格納されているテーブルＡである。
【００５７】
換気ユニット１４の運転を行うか否か（ＯＮ／ＯＦＦ）を決定する際には、先ず、制御部２０は、ユーザが選択した運転モードの情報を取得する（ステップＳ１１）。運転モードの選択は、例えば、リモートコントローラ３１を操作することによって行われる。そして、選択された運転モードの情報は、リモートコントローラ３１から受信部２２を介して制御部２０へ送信される。
【００５８】
次に、制御部２０は、メモリ２３に格納されたテーブルＡを参照して、選択された運転モードにおいて、換気ユニット１４のＯＮ／ＯＦＦ制御に使用する生体反応の種類を選択する（ステップＳ１２）。例えば、勉強モードが選択された場合には、肩の動きおよびため息を、換気ユニット１４の運転制御の指標として用いる。また、ここで選択された生体反応は、空気中の酸素濃度の異常予測の指標としても用いられる。
【００５９】
その後、センサ（カメラ１６およびマイク１７）によって、所定の生体反応の検知を行う（ステップＳ１３）。そして、制御部２０は、センサが行った所定の生体反応の検知結果に基づいて、換気ユニット１４を運転する必要性があるか否かを判断する（ステップＳ１４）。このとき、制御部２０は、センサが行った所定の生体反応の検知結果から、室内の空気中の酸素濃度が許容範囲内にあるか否かの予測を行う。
【００６０】
そして、制御部２０が、換気の必要性があると判断した場合には、換気ユニット１４の運転を開始する（ステップＳ１５）。また、制御部２０が、換気の必要性がないと判断した場合には、換気ユニット１４を停止状態のまま維持する（ステップＳ１５）。なお、換気ユニット１４が運転中のときに、換気の必要性がないと判断された場合には、制御部２０は、換気ユニット１４の運転を停止する（ステップＳ１５）。
【００６１】
以上のような流れで、換気ユニット１４の運転制御を行うことができる。図３に示す一連の処理の流れは、１５分毎、３０分毎、１時間毎など、所定の時間間隔で行えばよい。
【００６２】
なお、制御部２０は、ステップＳ１４における換気に必要性の判断に加えて、室内の空気中の酸素濃度が許容範囲内にあるか否かの予測を行っている。そこで、この予測結果を、スピーカ１８または表示部２１などを用いて、室内の人に報知してもよい。換気の必要性の判断基準と、空気中の酸素濃度が異常状態であるか否かの判断基準とは、同一であってもよいし、異なっていてもよい。
【００６３】
以上のように、本実施形態にかかる空気調和機１では、カメラ１６およびマイク１７などの生体反応を検知するセンサの検知結果に基づいて、換気の必要性を判断したり、室内の酸素濃度の異常の有無を予測したりする。すなわち、本実施形態によれば、酸素濃度センサを用いることなく、換気の必要性を判断したり、室内の酸素濃度の異常の有無を予測したりすることができる。
【００６４】
なお、本実施形態では、換気の必要性の判断（換気制御）と、室内の酸素濃度の異常の予測の両方を行う構成について説明したが、本発明では、何れか一方のみを行ってもよい。すなわち、室内の酸素濃度の異常の予測は行わず、換気のみを行う構成であってもよい。このような構成の場合には、空気調和機１は、スピーカ１８を備えていなくてもよい。
【００６５】
続いて、空気調和機１において、換気ユニット１４の運転を制御するときのより具体的な方法を、図４および図５を参照しながら説明する。図５は、換気ユニット１４の運転制御の流れを示すフローチャートである。
【００６６】
図５に示す方法では、テーブルＡを参照して選択された生体反応ごとに、当該生体反応が行われた状況を生体の動き量として数値化している。例えば、肩の動きや移動量に関しては、肩や個体（人や動物）が動いた距離を測定し、所定時間内に測定された距離の合計を、生体の動き量とする。また、ため息、呼吸、寝返り、脈拍などに関しては、回数を測定し、所定時間内の合計回数を、生体の動き量とする。そして、この生体の動き量が閾値以上であるか否かに基づいて、換気ユニット１４の運転制御を行う。
【００６７】
具体的には、図５に示すように、換気ユニット１４の運転を行うか否か（ＯＮ／ＯＦＦ）を決定する際には、先ず、制御部２０は、ユーザが選択した運転モードの情報を取得する（ステップＳ２１）。その後、図５に示すステップＳ２２、ステップＳ２３を順次実行する。なお、ステップＳ２２は、図３のステップＳ１２に相当し、ステップＳ２３は、図３のステップＳ１３に相当する。
【００６８】
制御部２０は、ステップＳ２３を実行した後、所定時間内の生体の動き量が閾値以上であるか否かを判定する（ステップＳ２４）。この閾値は、生体反応ごとに決められている。また、閾値は、同じ生体反応であっても、各運転モードに応じて異なる値に設定されている。
【００６９】
また、１つの運転モードにおいて、指標とする生体反応が複数ある場合には、例えば、少なくとも何れか一方の生体反応に関する動き量が閾値以上となった場合に、ステップＳ２４においてＹＥＳと判断する。例えば、勉強モードでは、「肩の動き」及び「ため息」という２つの生体反応を指標としている。したがって、「肩の動き」に関する動き量と、「ため息」に関する動き量の何れか一方が閾値以上となった場合、あるいは、「肩の動き」に関する動き量と、「ため息」に関する動き量の両方が閾値以上となった場合に、換気ユニット１４の運転を開始する（ステップＳ２５）。
【００７０】
一方、ステップＳ２４において、指標とする生体反応の全てが閾値未満の場合（すなわち、ステップＳ２４においてＮＯの場合）には、制御部２０は、換気ユニット１４を停止状態のまま維持する（ステップＳ２６）。
【００７１】
なお、ステップＳ２４における判断方法は、上述のものに限定はされない。すなわち、複数の生体反応の両方が閾値以上の場合に、ＹＥＳと判断し、少なくとも何れか一方が閾値未満の場合に、ＮＯと判断してもよい。
【００７２】
その後、制御部２０は、積算した動き量およびタイマ２４をリセットする。そして、再び、センサは検知を行い、制御部２０は、センサの検知結果に基づいて動き量を積算する。
【００７３】
ここで、テーブルＡに含まれる各運転モードについて説明する。
【００７４】
勉強モードは、室内にいる人が机に向かって勉強している場合やデスクワークをしている場合などに選択される。勉強モードでは、人の肩の動き、およびため息を生体反応として検知し、この検知結果に基づいて換気ユニット１４の運転制御を行う。人の肩の動きは、カメラ１６によって検知することができる。また、ため息は、カメラ１６およびマイク１７の何れか一方、あるいは、両方を用いて検知することができる。
【００７５】
就寝モードは、室内にいる人が就寝している場合などに選択される。就寝モードでは、呼吸、および寝返りを生体反応として検知し、この検知結果に基づいて換気ユニット１４の運転制御を行う。呼吸は、マイク１７によって検知することができる。また、寝返りは、カメラ１６によって検知することができる。
【００７６】
運動モードは、室内にいる人がエクササイズ、ダンスなどの運動をしている場合などに選択される。運動モードでは、脈拍、呼吸、および移動量を生体反応として検知し、この検知結果に基づいて換気ユト１４の運転制御を行う。脈拍は、カメラ１６（特に、赤外線カメラ）で検知することができる。また、呼吸は、マイク１７によって検知することができる。また、移動量は、カメラ１６によって検知することができる。
【００７７】
本実施形態では、カメラ１６、マイク１７などのセンサは、生体の動きを検知するものであった。しかし、本発明においては、センサは、生体の動き以外の生体反応を検知できるものであればよい。このような生体反応としては、生体の体温変化、生体（例えば、人、ペットなど）の発汗量などが挙げられる。このような生体反応を検知するためのセンサとしては、体温計、発汗量測定器など従来公知のセンサを使用することができる。また、生体には、人、動物、植物、魚類などが含まれる。
【００７８】
＜換気ユニットの運転制御の変形例について＞
続いて、本実施形態にかかる空気調和機１において、換気ユニット１４の運転を制御する方法の変形例について、図６を参照しながら説明する。
【００７９】
上述した第１の実施形態では、制御部２０は、センサが検知した個々の生体反応について、それぞれ異なる生体の動き量として数値化している。これに対して、変形例では、複数種類の生体反応を総合して、生体の動き量として数値化する。
【００８０】
具体的には、以下の算出式（１）から生体の動き量の総合ポイントＰを算出する。
【００８１】
Ｐ＝ａＦＡ＋ｂＦＢ＋ｃＦＣ＋ｄＦＤ＋ｅＦＥ              （１）
算出式（１）において、各符号ＦＡからＦＥは、それぞれ以下の生体反応の所定時間内の動き量を表している。
【００８２】
ＦＡ：肩の動き
ＦＢ：呼吸
ＦＣ：ため息
ＦＤ：移動量
ＦＥ：脈拍
また、算出式（１）において、各符号ａからｅは、各生体反応の重み係数である。この重み係数は、選択された運転モードによってそれぞれ異なっている。メモリ２３には、各種運転モードと、算出式（１）に用いられる各種生体反応の重み係数とが関連付けられたテーブルＢ（図６参照）が格納されている。
【００８３】
本変形例では、制御部２０は、上記の算出式（１）で得られた総合ポイントＰの数値が閾値以上であるか否かを判断する（図５のステップＳ２４参照）。そして、第１の実施形態と同様に、総合ポイントＰが閾値以上であった場合に（ステップＳ２４でＹＥＳ）、換気ユニット１４の運転を開始する（図５のステップＳ２５参照）。
【００８４】
本変形例では、選択された運転モードに応じて、複数種類の生体反応のうちの何れの生体反応をより優先して判断するかという優先度の変更を行うことができる。したがって、本変形例によれば、各運転モードに応じて、より重要視される生体反応を選択し、主として、その生体反応に関する動き量に基づいて、換気の必要性、および室内の酸素濃度の異常の有無を判断することができる。また、複数種類の生体反応から、換気の必要性、および室内の酸素濃度の異常の有無を総合的に判定することができる。
【００８５】
〔第２の実施形態〕
第２の実施形態では、センサの検知結果に基づいて、室内の人数を認識し、認識された人数に基づいて換気ユニットの運転制御を行う構成例について説明する。第２の実施形態にかかる空気調和機１の全体構成については、第１の実施形態にかかる空気調和機と同様の構成が適用できる。そこで、第２の実施形態では、第１の実施の形態とは異なる点のみを説明する。
【００８６】
第２の実施形態にかかる空気調和機１において、センサが検知した生体反応に基づいて、換気ユニット１４の運転を制御する処理の流れを、図７および図８を参照しながら説明する。図７には、第２の実施形態にかかる空気調和機１のメモリ２３に格納されているテーブルＣを示す。また、図８には、第２の実施形態にかかる空気調和機１における換気ユニット１４の制御の大まかな流れを示すフローチャートである。
【００８７】
テーブルＣは、図７に示すように、空気調和機１が設置されている部屋の大きさと、当該部屋の中にいる人の数と、換気ユニット１４が運転を開始するまでの時間Ｔとが関連付けられている。換気ユニット１４が運転を開始するまでの時間Ｔは、部屋の大きさおよび人数という２つの因子に基づいて決定される。
【００８８】
なお、本実施形態では、時間Ｔを、換気ユニット１４が運転を開始するまでの時間と定義づけている。但し、本発明を、換気ユニットを備えていない空気調和機に適用した場合には、時間Ｔは、室内中の所定の気体の濃度が異常状態に到達するまでの予測時間と言い換えることができる。
【００８９】
換気ユニット１４の運転制御を開始すると、図８に示すように、先ず、制御部２０は、部屋の大きさの情報を取得する（ステップＳ３１）。部屋の大きさの情報は、例えば、空気調和機１がどの程度の広さの部屋に適したものであるかという機器の仕様から判断することができる。この場合には、制御部２０は、既に部屋の大きさの情報を有している。あるいは、部屋の大きさの情報は、ユーザがリモートコントローラ３１などを操作することによって入力してもよい。またあるいは、部屋の大きさの情報は、カメラ１６が取得した部屋の画像データに基づいて算出してもよい。
【００９０】
次に、センサ（カメラ１６）によって、生体反応の検知を行う（ステップＳ３２）。そして、制御部２０は、この検知結果をもとに、室内にいる人の数を割り出し、人数を認識する（ステップＳ３３）。
【００９１】
その後、制御部２０は、メモリ２３に格納されたテーブルＣを参照して、取得した部屋の大きさ情報および認識した人数から、該当する時間Ｔを取得する。例えば、部屋の大きさが８畳で、室内の人数が４人の場合には、時間Ｔとして４０分を取得する。
【００９２】
その後、タイマ２４は、時間のカウントを開始する（ステップＳ３５）。そして、所定の時間（上記の例の場合には、４０分）が経過すると（ステップＳ３６）、制御部２０は、換気ユニット１４の運転を開始する（ステップＳ３７）。またこのとき、制御部２０は、センサが行った所定の生体反応の検知結果から、室内の空気中の酸素濃度が許容範囲内にあるか否かの予測を行ってもよい。この予測は、第１の実施形態と同様に行うことができる。
【００９３】
以上のような流れで、換気ユニット１４の運転制御を行うことができる。
【００９４】
なお、制御部２０は、換気ユニットの運転制御に加えて、室内の空気中の酸素濃度が許容範囲内にあるか否かの予測を行うことができる。そこで、この予測結果を、スピーカ１８または表示部２１などを用いて、室内の人に報知してもよい。換気の必要性の判断基準と、空気中の酸素濃度が異常状態であるか否かの判断基準とは、同一であってもよいし、異なっていてもよい。
【００９５】
以上のように、本実施形態にかかる空気調和機１では、カメラ１６などの生体反応を検知するセンサの検知結果に基づいて、室内の人の数を認識し、室内の酸素濃度が異常状態となるまでの時間を予測している。そして、予測された時間を換気が必要となるまでの所要時間と判断して、所要時間経過後に換気を行っている。このように、本実施形態によれば、酸素濃度センサを用いることなく、室内にいる人数および部屋の大きさを考慮して室内の酸素濃度を予測し、この予測結果に基づいて換気を行うことができる。
【００９６】
〔第３の実施形態〕
上述の第１の実施形態では、空気調和機が換気ユニットを備え、センサによる生体反応の検知結果に基づいて換気ユニットの制御を行っていた。しかし、本発明にかかる検知システムを適用した空気調和機は、換気ユニットを備えていなくてもよい。そこで、第３の実施形態では、本発明にかかる検知システムを、換気ユニットを備えていない空気調和機に適用する例について説明する。
【００９７】
図９には、第３の実施形態にかかる空気調和機１００の内部構成を示す。空気調和機１００は、生体反応を検知するセンサ（具体的には、カメラ１６およびマイク１７）を備えている。そして、制御部２０が、センサが検知した生体反応に基づいて、室内中の酸素濃度（所定の気体の濃度）に関する異常の予測をする。
【００９８】
図９に示すように、空気調和機１００は、室内機１０と室外機５０とリモートコントローラ（操作部）３１とから構成されている。室外機５０内には、圧縮機５２、室外送風機５６、および外気温度計６２などが備えられている。室内機１０内には、室内送風機１３、室内温度計１５、カメラ１６、マイク１７、スピーカ１８、表示部２１、受信部２２、および制御部２０などが備えられている。制御部２０内には、メモリ２３、タイマ２４などが備えられている。空気調和機１００は、換気ユニット１４を備えていないという以外は、第１の実施形態の空気調和機１と同様の構成を有している。
【００９９】
制御部２０は、カメラ１６、マイク１７などのセンサが検知した生体の動き量に基づいて、室内中の酸素濃度（所定の気体濃度）に関する異常を予測する。そして、制御部２０は、例えば、室内中の酸素濃度が許容上限を超えたり、許容下限を下回ったりしていると予測した場合には、その旨の信号を表示部２１、並びに、受信部２２を経由して操作部３１などへ送信する。またあるいは、この信号は、スピーカ１８に送信することもできる。表示部２１または操作部３１の表示部は、この信号を受信すると、室内の酸素濃度が異常状態であるという警告表示を行う。また、スピーカ１８は、この信号を受信すると、室内の酸素濃度が異常状態である旨の音声を室内へ発する。
【０１００】
制御部２０が、室内中の酸素濃度に関する異常の予測を行う場合には、例えば、第１の実施形態で説明した生体の動き量の閾値を用いて行うことができる。そして、制御部２０は、生体の動き量が閾値以上となっているときに、室内中の酸素濃度が正常範囲を逸脱している（すなわち、酸素濃度が許容下限を下回っている）と予測することができる。
【０１０１】
本実施形態にかかる空気調和機１００によれば、カメラ１６およびマイク１７などの生体反応を検知するセンサの検知結果に基づいて、室内の酸素濃度の異常の有無を予測することができる。すなわち、本実施形態によれば、酸素濃度センサを用いることなく、室内の酸素濃度の異常の有無を予測することができる。
【０１０２】
また、本実施形態にかかる空気調和機１００では、制御部２０が、室内中の酸素濃度が正常範囲を逸脱していると予測した場合に、スピーカ１８や表示部２１などの報知手段を用いて室内の人に酸素濃度の異常状態を知らせることができる。
【０１０３】
なお、本実施形態の空気調和機１００は、ネットワークサーバなどを介して、同じ室内の換気装置と通信可能に接続することもできる。このように構成することで、空気調和機１００が、室内の酸素濃度が許容下限を下回っていると予測した場合に、その旨の情報を、ネットワークサーバを介して換気装置へ送信することができる。そして、この情報を受信した換気装置は、運転を開始し、室内を換気することができる。
【０１０４】
〔第４の実施形態〕
上述の第１から第３の実施形態では、本発明の検知システムを空気調和機に適用する例について説明した。しかし、本発明の検知システムは、インターネットなどのネットワークを介して通信可能に構成された複数の機器で実現することもできる。そこで、第４の実施形態では、複数の機器で構成された検知システムの例について説明する。具体的には、生体反応を検知するためのセンサと、換気ユニットを備えた空気調和機と、換気ユニットの運転を制御するためのサービスを提供するためのサーバとが、ネットワーク（インターネット）で接続された換気制御システムを例に挙げて説明する。
【０１０５】
図１０には、第４の実施形態にかかる換気制御システム２００の全体構成を示す。換気制御システム２００は、主として、空気調和機２１０と、サーバ２２０と、カメラ（センサ）２３０と、マイク（センサ）２４０と、スマートフォン（携帯端末）２５０とで構成される。サーバ２２０と各機器とは、インターネットなどのネットワークを介して通信可能となっている。また、図１０に示すように、サーバ２２０は、インターネットなどのネットワークを介して、天気情報２７０を入手することができる。
【０１０６】
図１１には、空気調和機２１０の内部構成を示す。図１１に示すように、空気調和機２１０は、制御部２１１、室内側空調ユニット２１２、室外側空調ユニット２１３、表示部２１４、メモリ２１５、通信インターフェース２１６、換気ユニット２１７、およびスピーカ２１８などを備えている。空気調和機２１０の大まかな構成については、第１の実施形態の空気調和機１の構成が適用できる。但し、空気調和機２１０には、カメラ、マイクなどのセンサは備えられていない。また、空気調和機２１０は、通信インターフェース２１６（図１１参照）を介して、サーバ２２０とインターネット接続されている。
【０１０７】
カメラ２３０は、室内の様子を撮影する。カメラ２３０は、室内に存在する人、動物などを撮影し、生体の動き量を検知する。カメラ２３０の大まかな構成については、第１の実施形態のカメラ１６の構成が適用できる。但し、カメラ２３０は、図示しない通信インターフェースを介して、サーバ２２０とインターネット接続されている。
【０１０８】
マイク２４０は、室内で発生する音を検知する。例えば、マイク２４０は、人や動物の呼吸の状態、人が発するため息、くしゃみ、あくびなどの生体反応を検知することができる。マイク２４０の大まかな構成については、第１の実施形態のマイク１７の構成が適用できる。但し、マイク２４０は、図示しない通信インターフェースを介して、サーバ２２０とインターネット接続されている。
【０１０９】
空気調和機２１０、カメラ２３０、およびマイク２４０は、自宅やオフィスなどの同一の室内に設置される。
【０１１０】
図１３には、スマートフォン２５０の内部構成を示す。図１３に示すように、スマートフォン２５０は、制御部２５１、操作部２５２、メモリ２５３、通信インターフェース２５４、表示部２５５、およびスピーカ２５６などを備えている。
【０１１１】
制御部２５１は、メモリ２５３あるいは外部の記憶媒体に記憶されているプログラムを実行することによって、スマートフォン２５０の各部を制御する。
【０１１２】
操作部２５２は、ユーザからの指令を受け付けて当該指令を制御部２５１に入力する。
【０１１３】
メモリ２５３は、各種のＲＡＭ、各種のＲＯＭ、フラッシュメモリなどによって実現される。メモリ２５３は、制御部２５１によって実行されるプログラムや、制御部２５１によるプログラムの実行により生成されたデータ、操作部２５２を介して入力されたデータ、サーバ２２０から受信したタスクに関するデータなどを記憶する。
【０１１４】
通信インターフェース２５４は、アンテナやコネクタによって実現される。通信インターフェース２５４は、有線通信あるいは無線通信によって他の装置との間でデータをやり取りする。
【０１１５】
表示部２５５は、制御部２５１からの信号に基づいて、文字や画像などの画面を出力する。なお、本実施の形態においては、スマートフォン２５０は、表示部２５５と操作部２５２とが組み合わされたタッチパネルを有する。
【０１１６】
スピーカ２５６は、制御部２５１からの音声信号に基づいてタスクに関する音声、通話音声、音楽などの様々な音声を出力する。
【０１１７】
スマートフォン２５０は、換気ユニットの運転を制御するためのサービスを利用するためのアプリケーションソフトをサーバ２２０からダウンロードするなどして、換気制御システム２００に組み込むことができる。スマートフォン２５０は、例えば、スマートフォン２５０を持つ人が室内に入ったときなどに、本システム２００内に取り込まれるようにしてもよい。
【０１１８】
サーバ２２０は、インターネットなどのネットワークを介して、空気調和機２１０と、カメラ２３０と、マイク２４０と、スマートフォン２５０と接続される。図１２には、サーバ２２０の内部構成を示す。図１２に示すように、サーバ２２０は、制御部２２１、メモリ２２２、および通信インターフェース２２３などを備えている。
【０１１９】
制御部２２１は、メモリ２２２あるいは外部の記憶媒体に記憶されているプログラムを実行することによって、サーバ２２０の各部を制御する。すなわち、制御部２２１は、メモリ２２２に格納されているプログラムを実行することによって、後述する各種の処理を実現する。
【０１２０】
メモリ２２２は、各種のＲＡＭ、各種のＲＯＭ、フラッシュメモリなどによって実現される。メモリ２２２は、制御部２２１によって実行されるプログラムや、制御部２２１によるプログラムの実行により生成されたデータ、スイッチやキーボードから入力されたデータ、カメラ２３０およびマイク２４０などのセンサから受信したデータ、空気調和機２１０から受信したデータ、および空気調和機２１０の換気ユニット２１７の運転制御時に参照するテーブル（図４、図６、図７など参照）などを記憶する。
【０１２１】
通信インターフェース２２３は、有線通信あるいは無線通信によって他の装置との間でデータをやり取りする。
【０１２２】
＜換気ユニットの運転制御について＞
続いて、本実施形態にかかる換気制御システム２００において、カメラ２３０などのセンサが検知した生体反応に基づいて、空気調和機２１０の換気ユニット２１７の運転を制御する方法について説明する。
【０１２３】
本実施形態の換気制御システム２００では、第１の実施形態にかかる空気調和機１において図３を参照しながら説明した換気ユニット１４の制御方法を、一部変更して適用することができる。そこで、以下では、図３を参照しながら、換気ユニット２１７の運転制御の流れを説明する。
【０１２４】
換気ユニット２１７の運転を行うか否か（ＯＮ／ＯＦＦ）を決定する際には、先ず、サーバ２２０は、ユーザが選択した空気調和機２１０の運転モードの情報を取得する（ステップＳ１１）。運転モードの選択は、例えば、空気調和機２１０のリモートコントローラを操作することによって行われる。そして、選択された運転モードの情報は、リモートコントローラから通信インターフェース２１６を介して、空気調和機２１０内の制御部２１１へ送信される。
【０１２５】
また、選択された運転モードの情報は、通信インターフェース２１６を介して、サーバ２２０へも送信される。サーバ２２０は、選択された運転モードの情報を、通信インターフェース２２３から受信し、メモリ２２２へ格納する。
【０１２６】
次に、サーバ２２０内の制御部２２１は、メモリ２２２に格納されたテーブルＡを参照して、選択された運転モードにおいて、換気ユニット２１７のＯＮ／ＯＦＦ制御に使用する生体反応の種類を選択する（ステップＳ１２）。例えば、勉強モードが選択された場合には、肩の動きおよびため息を、換気ユニット２１７の運転制御の指標として用いる。また、ここで選択された生体反応は、空気中の酸素濃度の異常予測の指標としても用いられる。
【０１２７】
その後、サーバ２２０内の制御部２２１は、空気調和機２１０と同じ室内に設置されたカメラ２３０およびマイク２４０（センサ）に対して、所定の生体反応の検知を行うように指令を出す。カメラ２３０およびマイク２４０は、通信インターフェースを介してサーバ２２０からの指令を受信し、この指令に基づいて所定の生体反応（例えば、肩の動きおよびため息）の検知を行う（ステップＳ１３）。カメラ２３０およびマイク２４０の検知結果は、通信インターフェースを介してサーバ２２０へ送信される。
【０１２８】
そして、サーバ２２０内の制御部２２１は、センサが行った所定の生体反応の検知結果に基づいて、空気調和機２１０の換気ユニット２１７を運転する必要性があるか否かを判断する（ステップＳ１４）。ここでの判断は、例えば、第１の実施形態と同様に、生体の動き量の閾値を基準として行うことができる。またこのとき、制御部２２１は、センサが行った所定の生体反応の検知結果から、室内の空気中の酸素濃度が許容範囲内にあるか否かの予測を行う。
【０１２９】
そして、サーバ２２０内の制御部２２１が、換気の必要性があると判断した場合には、通信インターフェース２２３から空気調和機２１０に対して、換気ユニット２１７の運転を開始させるように指令を出す。空気調和機２１０内の制御部２１１は、通信インターフェース２１６を介してこの指令を受けとり、換気ユニット２１７の運転を開始させる（ステップＳ１５）。
【０１３０】
また、サーバ２２０内の制御部２２１が、換気の必要性がないと判断した場合には、通信インターフェース２２３から空気調和機２１０に対して、換気ユニット１４を停止状態のまま維持するように指令を出す。空気調和機２１０内の制御部２１１は、通信インターフェース２１６を介してこの指令を受けとり、換気ユニット１４を停止状態のまま維持させる（ステップＳ１５）。
【０１３１】
以上のような流れで、換気ユニット２１７の運転制御を行うことができる。
【０１３２】
なお、サーバ２２０内の制御部２２１は、ステップＳ１４における換気の必要性の判断に加えて、室内の空気中の酸素濃度が許容範囲内にあるか否かの予測を行っている。そこで、この予測結果に関する情報を、スマートフォン２５０へ送信してもよい。スマートフォン２５０は、通信インターフェース２５４を介してこの情報を受け取り、メモリ２５３に格納する。そして、スマートフォン２５０の制御部２５１は、メモリ２５３に格納された情報に基づいて、スピーカ２５６または表示部２５５などから予測結果をユーザへ向けて発信することもできる。
【０１３３】
以上のように、本実施形態にかかる換気制御システム２００では、カメラ２３０およびマイク２４０の検知結果に基づいて、換気の必要性を判断したり、室内の酸素濃度の異常の有無を予測したりする。すなわち、本実施形態によれば、酸素濃度センサを用いることなく、換気の必要性を判断したり、室内の酸素濃度の異常の有無を予測したりすることができる。
【０１３４】
なお、サーバ２２０内のメモリ２２２に、図６に示すテーブルＢや、図７に示すテーブルＣを格納しておくことで、上述の変形例や第２の実施形態と同様の方法で換気ユニット２１７を制御することもできる。
【０１３５】
また、本実施形態にかかる換気制御システム２００では、サーバ２２０が、インターネットなどのネットワークを介して、外部から天気情報２７０を入手することができる。そのため、サーバ２２０の制御部２２１は、入手した天気情報２７０を追加情報として参照して、換気ユニット２１７を制御することもできる。例えば、入手した天気情報２７０で、天気が雨の場合と晴れの場合とで、換気ユニット２１７のＯＮ／ＯＦＦ制御の基準となる動き量の閾値を変更してもよい。また、真夏期や真冬期のように、外気温が非常に高かったり低かったりする場合には、室内の空気中の酸素濃度の許容範囲をより広くして、できるだけ換気を行わないように制御してもよい。
【０１３６】
以上のように、本発明にかかる検知システムは、それを構成する各装置の役割の一部または全部を、クラウド上の他の装置（例えば、サーバ２２０）が実行してもよい。
【０１３７】
＜その他の応用例＞
本発明は、システムあるいは装置にプログラムを供給することによって達成される場合にも適用できることはいうまでもない。そして、本発明を達成するためのソフトウェアによって表されるプログラムを格納した記憶媒体（あるいはメモリ）を、システムあるいは装置に供給し、そのシステムあるいは装置のコンピュータ（又はＣＰＵやＭＰＵ）が記憶媒体に格納されたプログラムコードを読出し実行することによっても、本発明の効果を享受することが可能となる。
【０１３８】
この場合、記憶媒体から読出されたプログラムコード自体が前述した実施の形態の機能を実現することになり、そのプログラムコードを記憶した記憶媒体は本発明を構成することになる。
【０１３９】
また、コンピュータが読出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部または全部を行い、その処理によって前述した実施の形態の機能が実現される場合も含まれることは言うまでもない。
【０１４０】
さらに、記憶媒体から読み出されたプログラムコードが、コンピュータに挿入された機能拡張ボードやコンピュータに接続された機能拡張ユニットに備わる他の記憶媒体に書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も含まれることは言うまでもない。
【０１４１】
〔第５の実施形態〕
上述の第４の実施形態では、本発明の検知システムの一例として、センサと、換気ユニットを備えた空気調和機と、サーバとが、インターネットで接続されたシステムを例に挙げて説明した。しかし、本発明の検知システムは、必ずしも換気ユニットを備えている必要はない。
【０１４２】
そこで、第５の実施形態では、センサと、室内の酸素濃度に関する警告を報知する端末（スマートフォン）と、室内の酸素濃度の異常を予測するためのサービスを提供するサーバとが、インターネットで接続された検知システムを例に挙げて説明する。また、ここでは、生体反応を検知するためのセンサとして、カメラ２３０に加えてウエアラブル端末３６０を用いる例を示す。
【０１４３】
図１４には、第５の実施形態にかかる検知システム３００の全体構成を示す。検知システム３００は、主として、サーバ２２０と、カメラ（センサ）２３０と、ウエアラブル端末（センサ）３６０と、スマートフォン（携帯端末）２５０とで構成される。サーバ２２０と各機器とは、インターネットなどのネットワークを介して通信可能となっている。また、第４の実施形態と同様に、サーバ２２０は、インターネットなどのネットワークを介して、天気情報２７０を入手することができる。また、検知システム３００には必須の構成ではないが、検知システム３００によって酸素濃度の予測が行われる室内には、換気装置３８０が備えられていることが好ましい。
【０１４４】
サーバ２２０、カメラ（センサ）２３０、及びスマートフォン２５０は、第４の実施形態で説明したものと同様の構成が適用できる。
【０１４５】
ウエアラブル端末３６０は、ユーザが身に付けることのできるコンピュータ端末である。ウエアラブル端末３６０は、腕時計型、眼鏡型、靴型などの形態を有する。ウエアラブル端末３６０は、ユーザの移動量、脈拍、呼吸、体温などの生体反応を検知する。図１５には、ウエアラブル端末３６０の内部構成を示す。図１５に示すように、ウエアラブル端末３６０は、制御部３６１、センサ部３６２、メモリ３６３、および通信インターフェース３６４などを備えている。
【０１４６】
制御部３６１は、メモリ３６３あるいは外部の記憶媒体に記憶されているプログラムを実行することによって、ウエアラブル端末３６０の各部を制御する。
【０１４７】
センサ部３６２は、ユーザの手首など身体の一部と接触するように取り付けられる。そして、ユーザの生体反応（例えば、移動量、脈拍、呼吸、体温など）を検知する。
【０１４８】
メモリ３６３は、各種のＲＡＭ、各種のＲＯＭ、フラッシュメモリなどによって実現される。メモリ３６３は、センサ部３６２が検知した生体反応に関するデータなどを記憶する。
【０１４９】
通信インターフェース３６４は、アンテナやコネクタによって実現される。通信インターフェース３６４は、有線通信あるいは無線通信によって他の装置との間でデータをやり取りする。制御部２５１は、通信インターフェース２５４を介して、センサ部３６２が検知した生体反応に関するデータを送信する。
【０１５０】
本実施形態にかかる検知システム３００では、カメラ２３０およびウエアラブル端末３６０などのセンサが検知した生体反応に基づいて、室内中の所定の酸素濃度（所定の気体の濃度）に関する異常を予測することができる。この酸素濃度に関する異常の予測については、上述の第３の実施形態において実行される方法と同様の方法が適用できる。但し、第３の実施形態においては、上記の予測の実行は、主として、空気調和機１００内の制御部２０が行っていたが、本実施形態では、主として、サーバ２２０内の制御部２２１が行う。
【０１５１】
検知システム３００は、インターネットなどネットワークなどを介して、同じ室内の換気装置３８０と通信できるようにしてもよい。このように構成することで、検知システム３００内のサーバ２２０が、室内の酸素濃度が許容下限を下回っていると予測した場合に、その旨の情報を、ネットワークを介して換気装置３８０へ送信することができる。そして、この情報を受信した換気装置３８０は、運転を開始し、室内を換気することができる。
【０１５２】
〔第６の実施形態〕
上述の第１から第３の実施形態では、室内の空調を行うための空気調和機を例に挙げて説明した。しかし、本発明の検知システムは、室内用の空気調和機だけではなく、車内に設置される空調システムに適用することもできる。自動車用の空調システムに本発明の検知システムを適用する場合には、カメラ、マイクなどの生体反応検知用のセンサは、空調機器とは別の機器として構成することが好ましい。この場合、例えば、第４の実施形態のようなインターネット通信を用いたり、車内の無線通信を用いたりして、空調システムとセンサとを接続することができる。また、車内に備えられた換気装置も、空調システムに含めることが好ましい。
【０１５３】
また、本発明の検知システムは、空気清浄機、加湿装置などの室内の空気の状態を調節する機能を有する装置に適用してもよい。この場合、空気清浄機、加湿装置などの装置は、換気ユニットを備えていることが好ましい。
【０１５４】
今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【０１５５】
１      ：空気調和機（検知システム）
１０    ：室内機
１４    ：換気ユニット
１６    ：カメラ（センサ）
１７    ：マイク（センサ）
１８    ：スピーカ
２０    ：制御部
２１    ：表示部
２３    ：メモリ
１００  ：空気調和機（検知システム）
２００  ：換気制御システム（検知システム）
２１０  ：空気調和機
２２０  ：サーバ
２２１  ：（サーバの）制御部
２３０  ：カメラ（センサ）
２４０  ：マイク（センサ）
２５０  ：スマートフォン
３００  ：検知システム
３６０  ：ウエアラブル端末
【図１】
2018017403.tif 000003
【図２】
2018017403.tif 000004
【図３】
2018017403.tif 000005
【図４】
2018017403.tif 000006
【図５】
2018017403.tif 000007
【図６】
2018017403.tif 000008
【図７】
2018017403.tif 000009
【図８】
2018017403.tif 000010
【図９】
2018017403.tif 000011
【図１０】
2018017403.tif 000012
【図１１】
2018017403.tif 000013
【図１２】
2018017403.tif 000014
【図１３】
2018017403.tif 000015
【図１４】
2018017403.tif 000016
【図１５】
2018017403.tif 000017